(57)【要約】【課題】  自分撮りモード時の設定の煩わしさを解消する。【解決手段】  回転撮像ユニット１２は、前向き位置と後ろ向き位置との間で回転自在である。回転検出装置６４が、回転撮像ユニット１２の回転位置を検出する。回転撮像ユニット１２が後ろ向きの場合、制御装置５０は、レンズ駆動装置５８により撮影レンズ１４をワイド端に移動し、表示制御装置２８により、画面内の画像を上下反転する。【選択図】  図１
2008048348.tif 000002
【特許請求の範囲】
【請求項１】
撮影光学系（１４）、及び当該撮影光学系による光学像を画像信号に変換する撮像手段（１６）を具備し、前向き方向と後ろ向き方向に変更自在な撮像ユニット（１２）と、
当該撮像ユニット（１２）が当該後ろ向き方向になっていることを検出する検出手段（６４）と、
画像表示装置（３０）と、
当該撮像ユニット（１２）による画像信号を表示用に処理し、当該画像表示装置に供給する画像処理装置（１８，２８）と、
当該撮影光学系（１４）及び当該画像処理装置（１８，２８）の少なくとも一方によるズーム機能と、
当該検出手段（６４）の検出出力に従い、当該撮像ユニット（１２）が当該後ろ向き方向になっているときに、当該ズーム機能をワイド側に強制する制御手段（５０）
とを具備することを特徴とする撮像装置。
【請求項２】
撮影光学系（１１４）と、
当該撮影光学系による光学像を画像信号に変換する撮像手段（１１６）と、
前向き方向に移動自在な画像表示装置（１３０）と、
当該画像表示装置が当該前向き方向になっていることを検出する検出手段（１６４）と、
当該撮像手段による画像信号を表示用に処理し、当該画像表示装置（１３０）に供給する画像処理装置（１１８，１２８）と、
当該撮影光学系（１１４）及び当該画像処理装置（１１８，１２８）の少なくとも一方によるズーム機能と、
当該検出手段（１６４）の検出出力に従い、当該画像表示装置が当該前向き方向になっているときに、当該ズーム機能をワイド側に強制する制御手段（１５０）
とを具備することを特徴とする撮像装置。
【発明の詳細な説明】
【技術分野】
【０００１】
本発明は、自分撮り機能を備えた撮像装置に関する。
【背景技術】
【０００２】
従来、カメラを撮影者自身の手で支えながら、撮影者自身を撮影する自分撮り機能を備えた撮像装置が知られている。例えば、撮像ユニットを筐体に対して回転自在に装着してあるデジタルスチルカメラが商品化されている。撮像ユニットを、撮影者自身を向く方向に回転させた状態では、撮影者は、自身の写り具合等を液晶モニタで確認しながら撮影者自身を撮影できる。
【０００３】
また、デジタルビデオカメラにおいては、液晶モニタをカメラの正面方向に向けることができるものがある。液晶モニタをカメラ正面方向に向けて、カメラを自分に向ければ、撮影者は、自身の写り具合等を液晶モニタで確認しながら撮影者自身を撮影できる。
【０００４】
さらに、多くの撮像装置は、光学ズーム又は電子ズーム等のズーム機能を備えている。自分撮りの場合、撮影者自身が液晶モニタに表示される映像を確認しながら、適した画角にズーム倍率を調整する。
【０００５】
このようなズーム機能と自分撮り機能を備えた撮像装置では、カメラ等を回転させて通常の撮影から自分撮りモードに変更した場合、液晶モニタに撮影者が大きく写りすぎることがあり、必然的に、ズーム倍率を調整しなければならない。このような問題を解決する技術として、特許文献１には、自分撮りモード切替えスイッチを設け、自分撮りモードが設定された場合に撮影レンズの焦点距離をワイド側に設定する技術が開示されている。また、特許文献２には、デジタルカメラを専用クレードルに載置することで、自分撮りモード用に自動的に光学ズームをワイド側に設定する技術が開示されている。
【特許文献１】特開２００３−２９５２６１号公報
【特許文献２】特開２００４−０８０１８０号公報
【発明の開示】
【発明が解決しようとする課題】
【０００６】
特許文献１に記載の技術では、自分撮りモードを撮影者自身が設定しなければならず、画角調整の手間を省いても、あまり効率的ではない。
【０００７】
また、特許文献２に記載の技術では、専用装置であるクレードルを用いなければならず、気軽に自分撮りが行えず、現実的ではなかった。
【０００８】
本発明は、自分撮り状態のときの撮影者による画角調整を不要にする撮像装置を提示することを目的とする。
【課題を解決するための手段】
【０００９】
上記目的を達成するために、本発明に係る撮像装置は、撮影光学系、及び当該撮影光学系による光学像を画像信号に変換する撮像手段を具備し、前向き方向と後ろ向き方向に変更自在な撮像ユニットと、当該撮像ユニットが当該後ろ向き方向になっていることを検出する検出手段と、画像表示装置と、当該撮像ユニットによる画像信号を表示用に処理し、当該画像表示装置に供給する画像処理装置と、当該撮影光学系及び当該画像処理装置の少なくとも一方によるズーム機能と、当該検出手段の検出出力に従い、当該撮像ユニットが当該後ろ向き方向になっているときに、当該ズーム機能をワイド側に強制する制御手段とを具備することを特徴とする。
【００１０】
本発明に係る撮像装置は、撮影光学系と、当該撮影光学系による光学像を画像信号に変換する撮像手段と、前向き方向に移動自在な画像表示装置と、当該画像表示装置が当該前向き方向になっていることを検出する検出手段と、当該撮像手段による画像信号を表示用に処理し、当該画像表示装置に供給する画像処理装と、当該撮影光学系及び当該画像処理装置の少なくとも一方によるズーム機能と、当該検出手段の検出出力に従い、当該画像表示装置が当該前向き方向になっているときに、当該ズーム機能をワイド側に強制する制御手段とを具備することを特徴とする。
【発明の効果】
【００１１】
本発明によれば、撮像者自身を撮影する態勢では、ズーム機能をワイド側に強制するので、撮影者は、手動調節の煩わしさから解放される。
【発明を実施するための最良の形態】
【００１２】
以下、図面を参照して、本発明の実施例を詳細に説明する。
【実施例１】
【００１３】
図１は、本発明の一実施例である撮像装置１０の概略構成ブロック図を示す。撮像装置１０は、具体的には、デジタルカメラ又はデジタルスチルカメラ等である。図１では、破線は制御信号を示す。
【００１４】
撮像装置１０は、前向きと後ろ向きの間で回転可能に、撮像装置１０の筐体に軸支された回転撮像ユニット１２を具備する。図２は、回転撮像ユニット１２を正面に向けた状態の、撮像装置１０の正面図を示し、図３は、回転撮像ユニット１２を正面に向けた状態の、撮像装置１０の背面図を示す。
【００１５】
詳細は後述するが、回転撮像ユニット１２には、撮影レンズ１４、光学像を電気画像信号に変換する撮像素子１６、電子ビューファインダ（ＥＶＦ）３２、投光式の測距装置５２、レンズ駆動装置５８及びストロボ６２が内蔵される。
【００１６】
撮像装置１０は、回転撮像ユニット１２の他に、信号処理装置１８、圧縮装置２０、記録再生装置２２、記録媒体２４、伸長装置２６、表示制御装置２８、液晶表示パネル３０、制御装置５０、メモリ５４、操作装置５６、フラッシュ制御装置６０及び回転検出装置６４を具備する。
【００１７】
撮影レンズ１４は、被写体の光学像を撮像素子１６の撮像面に結像する。撮像素子１６は、撮影レンズ１４による光学像を電気画像信号に変換する。撮像素子１４は、例えば、ＣＣＤ（Charge Coupled Devices）撮像素子又はＣＭＯＳ（Complementary Metal Oxide Semiconductor）撮像素子等である。
【００１８】
信号処理装置１８は、撮像素子１４からの電気画像信号にカメラで周知の信号処理（例えば、ガンマ補正、色バランス調整、輝度／色分離）等を施し、デジタル信号に変換する。さらに、信号処理装置１８は、回転撮像ユニット１２が後ろ向きの場合には、画像データの上下を反転する。
【００１９】
圧縮装置２０は、ＭＰＥＧ（Moving Picture Experts Group phase）２又はＭＰＥＧ４、Ｍｏｔｉｏｎ  ＪＰＥＧ（Joint Photographic Experts Group）等の動画圧縮方式、若しくは、ＪＰＥＧ又はＪＰＥＧ２０００等の静止画圧縮方式で、信号処理装置１８からのデジタル画像信号を圧縮符号化し、圧縮画像データを生成する。
【００２０】
記録再生装置２２は、記録モードでは、圧縮装置２０からの圧縮画像データを記録媒体２４に記録し、再生モードでは、記録媒体２４から圧縮画像データを読み出し、再生表示用に伸長装置２６に供給する。記録媒体２４は、不揮発性半導体メモリ（いわゆるメモリーカード）、ＨＤＤ（Hard Disk Drive）等の磁気ディスク、又はＤＶＤ（Digital Versatile Disk）等に準拠する記録再生可能な光ディスクからなる。
【００２１】
伸長装置２６は、記録再生装置２２からの圧縮画像データを伸長し、デジタル画像信号を復元する。
【００２２】
表示制御装置２８は、伸長装置２６からのデジタル画像信号に従い液晶表示パネル３０を駆動する。これにより、再生画像が液晶表示パネル（ＬＣＤ）３０の画面上に画像として表示される。表示制御装置２８はまた、ＯＳＤ（On Screen Display）機能を具備し、制御装置５０からの文字データ等を画像に重畳して液晶表示パネル３０上に表示する。
【００２３】
電子ビューファインダ（ＥＶＦ）３２は、信号処理装置１８の出力画像信号を画像として表示する。ＥＶＦ３２は、被写体の構図等を確認するために使用され、一般に、画面サイズが液晶表示パネル３０のそれよりも小さい。現在の被写体の構図確認等に液晶表示パネル３０を使えるように、表示制御装置２８は、信号処理装置１８の出力画像信号を選択して、液晶表示パネル３０を駆動できるようになっている。このとき、信号処理装置１８と表示制御装置２８は一体になって、特許請求の範囲における、画像信号を表示用に処理する画像処理装置として機能する。
【００２４】
制御装置５０は、いわゆるＣＰＵ（Central Processing Unit）又はＭＰＵ（Micro Processing Unit）等からなり、撮像装置１０の全体を制御する。制御装置５０による制御の詳細は、後述する。
【００２５】
測距装置５２は、制御装置５０の指示に従い、被写体方向に距離測定光を投射し、その反射光を一対の受光素子で受光する。その受光素子の出力を比較することで、被写体までの距離を算出できる。制御装置５０は、測定された距離で焦点が合うように、レンズ駆動装置５８により、撮影レンズ１４の焦点を調節する。勿論、測距装置５２で計測された被写体までの距離では、自分撮りの場合の制御にも利用される。
【００２６】
メモリ５４は、処理手順等に対応したプログラム、所要のテーブルその他の固定データを記憶するＲＯＭ（Read Only Memory）と、各種設定を一時的に格納する領域、必要に応じて記録データの加工や記録データを展開するためのワークバッファとして利用される領域のほか、外部インターフェース（不図示）から入力されたデータ及びコマンド、並びに外部インターフェースに出力するデータ及びコマンドを格納するＲＡＭ（Random Access Memory）と、回転撮像ユニット１２の所定位置等、電源オフ時にも設定値を保持するＥＥＰＲＯＭ（Electronically Erasable and Programmable Read Only Memory）等で構成されている。
【００２７】
操作装置５６は、レリーズスイッチ５６ａ、ズーム切替えスイッチ５６ｂ、十字キー５６ｃ、メニューボタン５６ｄ、決定ボタン５６ｅ及びモード切替えスイッチ５６ｆを具備する。操作装置５６のこれらのスイッチは、撮影（記録）、光学的又は電子的なズームの切替え、メニュー画面の表示、各種設定の選択及び決定、並びに、撮影モード、記録モード及び再生モード等の動作モードの切替え等に使用される。勿論、操作装置５６は、動画撮影を指示する動画撮影スイッチ、再生／停止を指示する再生／停止スイッチ等も具備する。具体的デバイスとしては、タッチパネル又は視線入力装置等を用いてもよい。
【００２８】
レンズ駆動装置５８は、制御装置５０の命令に基づき、撮影レンズ１４のズームレンズを制御する。すなわち、ズーム切替えスイッチ５６ｂの操作に応じて、制御装置５０は、レンズ駆動装置５８により、撮影レンズ１４のズームレンズをワイド端（Ｗｉｄｅ）とテレ端（Ｔｅｌｅ）の間で移動する。フラッシュ制御装置６０は、被写体の明るさに応じた光量の発光パターン、又は制御装置５０により指示される光量の発光パターンでストロボ６２を発光させる。
【００２９】
回転検出装置６４は、回転撮像ユニット１２の回転動作を検出し、検出結果を制御装置５０に通知する。制御装置５０は、回転撮像ユニット１２が後ろ向きのときに、信号処理装置１８に画像データを上下反転させ、ズームをワイド端に制御し、フォーカスも至近距離に制御する。
【００３０】
次に、本実施例の基本動作を説明する。撮影モードでは、撮像素子１６は、被写体の光学像に対応する画像信号を出力する。信号処理装置１６は、撮像素子１４の出力画像信号に周知のカメラ信号処理を施す。信号処理装置１６の出力画像データは、ＥＶＦ３２に印加され、ユーザは、ＥＶＦ３２の表示画像で被写体とその構図を確認できる。ユーザが液晶表示パネル３０による観察を指示するとき、制御装置５０は、表示制御装置２８に指示して、信号処理装置１８の出力画像信号で液晶表示パネル３０を駆動させる。このとき、ユーザは、液晶表示パネル３０の画面上で、被写体とその構図を確認できる。
【００３１】
ユーザの記録指示で記録モードになる。記録モードでは、圧縮装置２０が信号処理装置２０の出力画像データを圧縮符号化し、圧縮画像データを記録再生装置２２に転送する。記録再生装置２２は、圧縮画像データを記録媒体２４に記録する。このようにして、撮影された画像の圧縮画像データが記録媒体２４に格納される。
【００３２】
再生モードでは、記録再生装置２２は、ユーザにより指定された画像の圧縮画像データを記録媒体２４から読み出し、伸長装置２６に転送する。伸長装置２６は、記録再生装置２２からの圧縮画像データを伸長して、画像データを復元する。表示制御装置２８は、伸長装置２６により復元された画像データに従い、液晶表示パネル３０を駆動する。これにより、再生画像が液晶表示パネル３０の画面に表示される。
【００３３】
次に、図４を参照して、自分撮りモードにおける本実施例の制御を説明する。図４は、撮影モードにおける自分撮り状態の検出と制御のフローチャートである。本実施例では、ユーザは、自分撮り状態のときに、フォーカス又はズーム等を自動制御するかを否か予め制御装置５０に設定する。
【００３４】
制御装置５０は、撮影モードか否かを判別する（Ｓ１０）。撮影モードであるとき（Ｓ１０）、自分撮りの場合の制御を実行するか否かを確認する（Ｓ１１）。自分撮りの場合の自動制御を実行する場合（Ｓ１１）、制御装置５０は、回転検出装置６４により、回転撮像ユニット１２の回転角が所定の位置を超えたか否か、即ち回転撮像ユニット１２が後ろ向きになっているかどうかを判別する（Ｓ１２）。後ろ向きの場合（Ｓ１２）、制御装置５０は、レンズ駆動装置５８により撮影レンズ１４の光学ズームをワイド端に移動する（Ｓ１３）。これにより、ユーザ自身の画像を適正なサイズで撮影できる。
【００３５】
自分撮りの場合の制御を実行しない場合（Ｓ１１）、又は、回転撮像ユニット１２が後ろ向きで無い場合（Ｓ１２）、そのまま終了する。
【００３６】
このように、本実施例では、回転撮像ユニット１２が後ろ向きの場合に、自動的に、自分撮りに適したズーム状態に制御するので、従来例で自分撮りのために必要であった面倒な操作が不要になる。
【００３７】
自動合焦が有効に機能している場合、ユーザが撮影視野内に入ることで、自動的に撮影レンズ１４の焦点がユーザに合うようになる。これにも関わらず、撮影レンズ１４の焦点を強制的に、自分撮りの腕の長さに相当する程度の近距離に変更しても良い。
【実施例２】
【００３８】
図５は、本発明の実施例２であるデジタルビデオカメラ１１０の概略構成ブロック図である。図６は、カメラ１１０の外観斜視図を示す。デジタルビデオカメラ１１０は、大画面の液晶表示パネル１３０を具備し、図６に示すように、筐体側面に、横開き可能で、且つ、前向きに回転可能に軸支されている。このような回転機構自体は、ビデオカメラで周知である。
【００３９】
撮影レンズ１１４は、被写体の光学像を撮像素子１１６の撮像面に結像する。撮像素子１１６は、撮影レンズ１１４による光学像を電気画像信号に変換する。撮像素子１１４は、例えば、ＣＣＤ（Charge Coupled Devices）撮像素子又はＣＭＯＳ（Complementary Metal Oxide Semiconductor）撮像素子等である。
【００４０】
信号処理装置１１８は、撮像素子１１４からの電気画像信号にカメラで周知の信号処理（例えば、ガンマ補正、色バランス調整、輝度／色分離）等を施し、デジタル信号に変換する。信号処理装置１１８は、更に、撮像素子１１６の出力画像の一部を切り出すことで、電子的に画像サイズを大きくする電子ズーム機能を具備する。
【００４１】
圧縮装置１２０は、ＭＰＥＧ（Moving Picture Experts Group phase）２、ＭＰＥＧ４又はＭｏｔｉｏｎ  ＪＰＥＧ（Joint Photographic Experts Group）等の動画圧縮方式、若しくは、ＪＰＥＧ又はＪＰＥＧ２０００等の静止画圧縮方式で、信号処理装置１１８からのデジタル画像信号を圧縮符号化し、圧縮画像データを生成する。
【００４２】
記録再生装置１２２は、記録モードでは、圧縮装置１２０からの圧縮画像データを記録媒体１２４に記録し、再生モードでは、記録媒体１２４から圧縮画像データを読み出し、再生表示用に伸長装置１２６に供給する。記録媒体１２４は、記録媒体２４と同様に、不揮発性半導体メモリ（いわゆるメモリーカード）、ＨＤＤ（Hard Disk Drive）等の磁気ディスク、又はＤＶＤ（Digital Versatile Disk）等に準拠する記録再生可能な光ディスクからなる。
【００４３】
伸長装置１２６は、記録再生装置１２２からの圧縮画像データを伸長し、デジタル画像信号を復元する。
【００４４】
表示制御装置１２８は、伸長装置１２６からのデジタル画像信号に従い液晶表示パネル１３０を駆動する。これにより、再生画像が液晶表示パネル（ＬＣＤ）３０の画面上に画像として表示される。表示制御装置１２８は、ＯＳＤ（On Screen Display）機能を具備し、制御装置１５０からの文字データ等を画像に重畳して液晶表示パネル１３０上に表示する。液晶表示パネル１３０を前向きにしたときに、画像を正しく立った状態で表示できるように、表示制御装置１２８は、各画面を構成する画像の上下を反転する機能を具備する。
【００４５】
電子ビューファインダ（ＥＶＦ）１３２は、信号処理装置１１８の出力画像信号を画像として表示する。ＥＶＦ１３２は、被写体の構図等を確認するために使用され、一般に、画面サイズが液晶表示パネル１３０のそれよりも小さい。現在の被写体の構図確認等に液晶表示パネル１３０を使えるように、表示制御装置１２８は、信号処理装置１１８の出力画像信号を選択して、液晶表示パネル１３０を駆動できるようになっている。このとき、信号処理装置１１８と表示制御装置１２８は一体になって、特許請求の範囲における、画像信号を表示用に処理する画像処理装置として機能する。
【００４６】
制御装置１５０は、いわゆるＣＰＵ（Central Processing Unit）又はＭＰＵ（Micro Processing Unit）等からなり、ビデオカメラ１１０の全体を制御する。制御装置１５０は、また、信号処理装置１１８の出力画像信号から撮影レンズ１１４の合焦状態を判別し、被写体に焦点が合うように、レンズ駆動装置１５８により撮影レンズ１１４のフォーカスレンズを制御する。ビデオカメラにおけるこのような合焦制御自体は、周知であるので、これ以上の説明を省略する。
【００４７】
メモリ１５４は、処理手順等に対応したプログラム、所要のテーブルその他の固定データを記憶するＲＯＭ（Read Only Memory）と、各種設定を一時的に格納する領域、必要に応じて記録データの加工や記録データを展開するためのワークバッファとして利用される領域のほか、外部インターフェース（不図示）から入力されたデータ及びコマンド、並びに外部インターフェースに出力するデータ及びコマンドを格納するＲＡＭ（Random Access Memory）と、電源オフ時にも設定値を保持するＥＥＰＲＯＭ（Electronically Erasable and Programmable Read Only Memory）等で構成されている。
【００４８】
操作装置１５６は、レリーズスイッチ１５６ａ、ズーム切替えスイッチ１５６ｂ、十字キー１５６ｃ、メニューボタン１５６ｄ、決定ボタン１５６ｅ及びモード切替えスイッチ１５６ｆを具備する。操作装置１５６のこれらのスイッチは、撮影（記録）、光学的又は電子的なズームの切替え、メニュー画面の表示、各種設定の選択及び決定、並びに、撮影モード、記録モード及び再生モード等の動作モードの切替え等に使用される。勿論、操作装置１５６は、静止画撮影を指示する静止画撮影スイッチ、再生／停止を指示する再生／停止スイッチ等も具備する。
【００４９】
撮影レンズ１１４は、光学ズーム機能も具備する。レンズ駆動装置１５８は、制御装置１５０の命令に基づき、撮影レンズ１１４のズームレンズを制御する。すなわち、ズーム切替えスイッチ１５６ｂの操作に応じて、制御装置１５０は、レンズ駆動装置１５８により、撮影レンズ１１４のズームレンズをワイド端（Ｗｉｄｅ）とテレ端（Ｔｅｌｅ）の間で移動する。
【００５０】
回転検出装置１６４は、液晶表示パネル１３０が前向きになっているか否かを検出し、検出結果を制御装置１５０に通知する。制御装置１５０は、液晶表示パネル１３０が前向きのとき、自分撮り状態になっていると判断し、後述するように、信号処理装置１１８の電子ズームをオフに、撮影レンズ１１４の光学ズームをワイド端に強制し、表示制御装置１２８に指示して、液晶表示パネル１３０で表示すべき画像の上下を反転させる。
【００５１】
図７を参照して、自分撮りモードにおける本実施例の制御を説明する。図７は、図５に示す実施例の、撮影モードにおける自分撮り状態の検出と制御のフローチャートである。本実施例では、ユーザは、自分撮り状態のときに、フォーカス又はズーム等を自動制御するかを否か予め制御装置１５０に設定する。
【００５２】
制御装置１５０は、撮影モードか否かを判別する（Ｓ２０）。撮影モードであるとき（Ｓ２０）、自分撮りの場合の制御を実行するか否かを確認する（Ｓ２１）。自分撮りの場合の自動制御を実行する場合（Ｓ２１）、制御装置１５０は、回転検出装置１６４により、液晶表示パネル１３０が前向きになっているかどうかを
判別する（Ｓ２２）。前向きの場合（Ｓ２２）、制御装置１５０は、レンズ駆動装置１５８により撮影レンズ１１４の光学ズームをワイド端に移動し、信号処理装置１１８による電子ズームをオフにする（Ｓ２３）。これにより、ユーザ自身の画像を適正なサイズで撮影できる。
【００５３】
自分撮りの場合の制御を実行しない場合（Ｓ２１）、又は、液晶表示パネル１３０が前向きで無い場合（Ｓ２２）、そのまま終了する。
【００５４】
このように、本実施例では、液晶表示パネル１３０が前向きの場合に、自動的に、自分撮りに適したズーム状態に制御するので、従来例で自分撮りのために必要であった面倒な操作が不要になる。
【００５５】
自動合焦が有効に機能している場合、ユーザが撮影視野内に入ることで、自動的に撮影レンズ１１４の焦点がユーザに合うようになる。これにも関わらず、撮影レンズ１４の焦点を強制的に、自分撮りの腕の長さに相当する程度の近距離に変更しても良い。
【００５６】
このように、本実施例でも、自分撮り状態では、ズーム機能をワイド側に移動するので、撮影者自身が撮影範囲に納まらなくなるといったミスショットを防止することができる。
【００５７】
理解を容易にするために、自分撮り状態では、撮影レンズ１１４をワイド端に移動すると説明したが、撮影者自身が撮影範囲に納まる程度にワイド側の焦点距離であればよいことは明らかである。
【００５８】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００５９】
【図１】本発明の実施例１の概略構成ブロック図である。
【図２】実施例１の正面図である。
【図３】実施例１の背面図である。
【図４】実施例１の制御フローチャートである。
【図５】本発明の実施例２の概略構成ブロック図である。
【図６】実施例２の外観斜視図である。
【図７】実施例２の制御フローチャートである。
【符号の説明】
【００６０】
１０，１１０  撮像装置
１２、１１２  回転撮像ユニット
１４，１１４  撮影レンズ
１６，１１６  撮像素子
１８，１１８  信号処理装置
２０，１２０  圧縮装置
２２，１２２  記録再生装置
２４，１２４  記録媒体
２６，１２６  伸長装置
２８，１２８  表示制御装置
３０，１３０  液晶表示パネル
３２，１３２  ＥＶＦ（電子ビューファインダ）
５０，１５０  制御装置
５２  測距装置
５４，１５４  メモリ
５６，１５６  操作装置
５６ａ，１５６ａ  レリーズスイッチ
５６ｂ，１５６ｂ  ズーム切替えスイッチ
５６ｃ，１５６ｃ  十字キー
５６ｄ，１５６ｄ  メニューボタン
５６ｅ，１５６ｅ  決定ボタン
５６ｆ，１５６ｆ  モード切替えスイッチ
５８，１５８  レンズ駆動装置
６０  フラッシュ制御装置
６２  ストロボ
６４，１６４  回転検出装置
【図１】
2008048348.tif 000003
【図２】
2008048348.tif 000004
【図３】
2008048348.tif 000005
【図４】
2008048348.tif 000006
【図５】
2008048348.tif 000007
【図６】
2008048348.tif 000008
【図７】
2008048348.tif 000009